【手続補正書】
【提出日】平成27年6月4日(2015.6.4)
【手続補正１】
【補正対象書類名】特許請求の範囲
【補正対象項目名】全文
【補正方法】変更
【補正の内容】
【特許請求の範囲】
【請求項１】
近距離通信アンテナに隣接して動作しているタッチ検知デバイスの電極における誘導電流を低減させる方法であって、
１）タッチ検知デバイスで用いられる検知領域を形成する複数の電極を設けるステップと、
２）前記複数の電極に隣接して配置される近距離通信アンテナを設けるステップと、
３）前記近距離通信アンテナにより発生される電磁場の効果を低減させるように前記電極を構成することによって、前記近距離通信アンテナの動作によって生じる前記複数の電極における誘導電流を低減させるステップと
を含む、方法。
【請求項２】
請求項１記載の方法であって、更に、
１）検知領域の上端から下端まで延びる電極の一連の平行の行を有する前記検知領域を形成するように、前記複数の電極を配列するステップであって、前記複数の電極のそれぞれが相互に電気的に分離しており、前記複数の電極のそれぞれが前記検知領域の第１端からはじまり対向する第２端で終わる第１経路に沿う、ステップと、
２）前記第２端からはじまり、前記第１経路に平行な第２経路に沿って逆に延びる前記第１端までの長さを増やすことにより、前記電磁場によって影響を受ける前記複数の電極の内少なくとも１つの長さを増やすステップであって、これにより、前記複数の電極の内前記少なくとも１つにおいて誘導される電流を低減させる、ステップと
を含む、方法。
【請求項３】
請求項２記載の方法であって、更に、前記検知領域における前記上端および前記下端に最も近い前記複数の電極が前記電磁場によって最も影響を受けることになるため、これら複数の電極の長さを増やすステップを含む、方法。
【請求項４】
請求項３記載の方法であって、更に、前記電磁場によって前記複数の電極において誘導された電流を有している該複数の電極のいずれかの長さを増やすステップであって、これにより、前記複数の電極の全ての誘導電流を低減させるステップを含む、方法。
【請求項５】
請求項１記載の方法であって、更に、前記電極における前記誘導電流が実質的にキャンセルされるように前記誘導電流を低減させるステップを含む、方法。
【請求項６】
請求項１記載の方法であって、更に、前記近距離通信アンテナを、前記検知領域の外部端の周りに配置される少なくとも１つのループとして形成するステップを含む、方法。
【請求項７】
請求項６記載の方法であって、更に、前記近距離通信アンテナを、前記複数の電極における平面に実質的に平行となる平面内に配置するステップを含む、方法。
【請求項８】
請求項１記載の方法であって、更に、
前記複数の電極を、同心に整列した複数の電極ループを有する検知領域を形成するために配列するステップであって、前記ループが第１位置において全て電気的にオープンであると共に、対向する第２位置においてタッチ検知回路への接続部を有するステップであって、
前記電気ループのそれぞれは、これにより、実質的に長さが等しい２つのアームを有し、前記同心に整列した複数の電極ループのそれぞれが有する第１アームにおける誘導電流は、前記同心に整列した複数の電極ループのそれぞれが有する第２アームにおける誘導電流と等しく且つ逆向きであり、これにより、結果として、前記同心に整列した複数の電極ループのそれぞれにおける誘導電流を低減させる、ステップを含む、方法。
【請求項９】
請求項８記載の方法であって、更に、前記電気的にオープンな第１位置が整列されると共に前記対向する第２位置が整列されるように、前記同心に整列した複数の電極ループを整列させるステップを含む、方法。
【請求項１０】
請求項８記載の方法であって、更に、前記近距離通信アンテナの第１端に結合される第１信号ソースと前記近距離通信アンテナの第２端に結合される第２信号ソースとを設けるステップであって、前記第１信号ソースが前記第２信号ソースとは位相が約１８０度異なっており、前記複数の電極に結合される静電場は、これにより、前記複数の電極において実質的に無電圧のネット変動を生み出す、ステップを含む方法。
【請求項１１】
請求項１記載の方法であって、更に、
１）第１平面に前記複数の電極を設けると共に第２平面に前記近距離通信アンテナを設けるステップと、
２）近距離通信アンテナを形成するために４つの三角ループを設けるステップであって、前記ループが重なり合っておらず、前記第１平面に平行な第２平面内にある、ステップと
を含む、方法。
【請求項１２】
近距離通信アンテナに隣接して動作しているタッチ検知デバイスの電極における誘導電流を低減させるシステムであって、
タッチ検知デバイスで用いられる検知領域を形成する複数の電極と、
前記複数の電極に隣接して配置される近距離通信アンテナであって、前記複数の電極が当該近距離通信アンテナにより発生される電磁場の効果を低減させるように構成され、これにより、当該近距離通信アンテナの動作によって生じる前記複数の電極における誘導電流を低減させる、近距離通信アンテナと
を備える、システム。
【請求項１３】
請求項１２記載のシステムであって、更に、
検知領域の上端から下端まで延びる前記複数の電極の一連の平行の行であって、前記複数の電極のそれぞれが相互に電気的に分離しており、前記複数の電極のそれぞれが前記検知領域の第１端からはじまり対向する第２端で終わる第１の経路に沿う、一連の平行の行と、
前記第２端からはじまり、前記第１経路に平行な第２経路に沿って逆に延びる前記第１端までの長さを増やすことにより、前記電磁場によって影響を受ける前記複数の電極の内少なくとも１つの延長した長さであって、これにより、前記複数の電極の内前記少なくとも１つにおいて誘導される電流を低減させる、長さと
を含む、システム。
【請求項１４】
請求項１３記載のシステムであって、更に、前記検知領域における前記上端および前記下端に最も近い前記複数の電極が前記電磁場によって最も影響を受けることになるため、これら複数の電極について増加した長さを含む、システム。
【請求項１５】
請求項１４記載のシステムであって、更に、前記電磁場によって前記複数の電極において誘導された電流を有している該複数の電極のいずれかについて増加した長さを含み、これにより、前記複数の電極の全ての誘導電流を低減させる、システム。
【請求項１６】
請求項１２記載のシステムにおいて、更に、前記近距離通信アンテナが前記検知領域の外部端の周りに配置される少なくとも１つのループとして形成される、システム。
【請求項１７】
請求項１２記載のシステムにおいて、更に、検知領域を形成する同心に整列した複数の電極ループを備え、前記ループが第１位置において全て電気的にオープンであると共に、対向する第２位置においてタッチ検知回路への接続部を有し、前記同心に整列した複数の電極ループのそれぞれは、これにより、実質的に長さが等しい２つのアームを有し、前記同心に整列した複数の電極ループのそれぞれが有する第１アームにおける誘導電流は、前記同心に整列した複数の電極ループのそれぞれが有する第２アームにおける誘導電流と等しく且つ逆向きであり、これにより、結果として、前記同心に整列した複数の電極ループのそれぞれにおける誘導電流を低減させる、システム。
【請求項１８】
請求項１７記載のシステムにおいて、更に、前記同心に整列した複数の電極ループが整列されて、その結果、前記電気的にオープンな第１位置が全て整列されると共に前記対向する第２位置が全て整列される、システム。
【請求項１９】
請求項１８記載のシステムであって、更に、
前記近距離通信アンテナの第１端に結合される第１信号ソースと、
前記近距離通信アンテナの第２端に結合される第２信号ソースであって、前記第１信号ソースが前記第２信号ソースとは位相が約１８０度異なっており、その結果、前記近距離通信アンテナから前記複数の電極に結合される静電場は、これにより、前記複数の電極において実質的に無電圧のネット変動を生み出す、第２信号ソースと
を備える、システム。
【請求項２０】
近距離通信アンテナに隣接して動作しているタッチ検知デバイスの電極における誘導電流を低減させる方法であって、
１）タッチ検知デバイスで用いられる検知領域を形成する複数の電極を設けるステップであって、前記複数の電極が、同心に整列した複数の電極ループを形成し、前記ループが第１位置において全て電気的にオープンであると共に、対向する第２位置においてタッチ検知回路への接続部を有し、前記電気ループのそれぞれは、これにより、実質的に長さが等しい２つのアームを有し、前記同心に整列した複数の電極ループのそれぞれが有する第１アームにおける誘導電流は、前記同心に整列した複数の電極ループのそれぞれが有する第２アームにおける誘導電流と等しく且つ逆向きである、ステップと、
２）前記複数の電極に隣接して配置される近距離通信アンテナを設けるステップと、
３）前記近距離通信アンテナの第１端に結合される第１信号ソースと前記近距離通信アンテナの第２端に結合される第２信号ソースとを設けるステップであって、前記第１信号ソースが前記第２信号ソースとは位相が約１８０度異なっており、前記複数の電極に結合される静電場は、これにより、前記複数の電極において実質的に無電圧のネット変動を生み出す、ステップと
を含む、方法。
【請求項２１】
近距離通信アンテナに隣接して動作しているタッチ検知デバイスの電極における誘導電流を低減させるシステムであって、
タッチ検知デバイスの第１平面において矩形の検知領域を形成する電極格子と、
近距離通信アンテナを形成する４つの三角ループであって、当該ループは重なり合わず、前記第１平面に平行な第３平面内にあり、当該ループのオープン端は前記電極格子の中心近くで落ち合い、当該４つの三角ループの外部端が前記矩形検知領域と共通の中心を共有する矩形アウトラインを形成する、４つの三角ループと、
前記４つの三角ループにおける前記オープン端に結合される差動信号ソースであって、前記４つの三角ループの隣接する端は、常に、前記差分信号ソースにおいて対向する端に結合される、差分信号ソースと
を備えるシステム。
【請求項２２】
請求項２１記載のシステムにおいて、前記電極格子が、更に、
前記第１平面内における第１方向または軸の複数の平行な電極と、
前記第１平面に平行な第２平面内における第２方向または軸の複数の平行な電極であって、前記第１方向に直交するように指向される、平行な電極と
を備える、システム。
【請求項２３】
請求項２１記載のシステムにおいて、前記差動信号ソースが、更に、
第１信号ソースと、
前記第１信号ソースとは位相が約１８０度異なる第２信号ソースと
を備える、システム。
【請求項２４】
近距離通信アンテナに隣接して動作しているタッチ検知デバイスの電極における誘導電流を低減させる方法であって、
１）タッチ検知デバイスの第１平面において矩形の検知領域を形成する電極格子を設けるステップと、
２）近距離通信アンテナを形成するために４つの三角ループを設けるステップであって、当該ループは重なり合わず、前記第１平面に平行な第２平面内にあり、
３）差動信号ソースを前記４つの三角ループに結合するステップと、
４）前記近距離通信アンテナによって発生される電磁場の効果を低減させるように前記電極グリッドおよび前記近距離通信アンテナを構成することによって、前記近距離通信アンテナの動作により引き起こされる前記電極格子における誘導電流を低減させるステップと
を含む、方法。
【請求項２５】
請求項２４記載の方法であって、更に、前記近距離通信アンテナによって発生される磁場により引き起こされる前記電極格子における誘導電流を低減させるステップを含む、方法。
【請求項２６】
請求項２４記載の方法であって、更に、前記近距離通信アンテナによって発生される電場の結合によって引き起こされる前記電極格子における誘導電流を低減させるステップを含む、方法。